(57)【要約】【課題】建設現場等において、資材が盗難されるのを防ぐことができる資材管理システムを提供する。【解決手段】資材検知システムは、通用門３１を監視する監視カメラ２１と、通用門３１の近傍に設けられ、資材に取付けられたＩＣタグを読取るタグリーダ２２を有するタグリーダ用ポール２３と、タグリーダ２２が検出したＩＣタグから資材を特定する特定手段と、特定手段が特定した資材が、持ち出し可能に設定されているか否かを判断する判断手段と、判断手段が、特定された資材が持ち出し不可能と設定されていると判断したときは、監視カメラ２１を作動させて、通用門３１付近の様子を撮影する。【選択図】図１
2008003686.tif 000002
【特許請求の範囲】
【請求項１】
所定の出入口を監視する監視カメラと、
前記出入口に設けられ、資材に取付けられたＩＣタグを読取るタグリーダと、
前記タグリーダが読取ったＩＣタグから資材を特定する特定手段と、
前記特定手段が特定した資材が、持ち出し可能に設定されているか否かを判断する判断手段と、
前記判断手段が、前記特定された資材が持ち出し不可能と設定されていると判断したときは、前記出入口の様子を撮影するように前記監視カメラを作動させる制御手段とを含む、資材検知システム。
【請求項２】
前記タグリーダは、タグリーダ用ポールに設けられ、前記タグリーダ用ポールは組み立て式である、請求項１に記載の資材検知システム。
【請求項３】
警報装置をさらに含み、
前記判断手段が、前記特定された資材が持ち出し不可能と設定されていると判断したときは、前記制御手段は、前記監視カメラを作動させるとともに、前記警報装置を作動させる、請求項１または２に記載の資材検知システム。
【発明の詳細な説明】
【技術分野】
【０００１】
この発明は、資材検知システムに関し、特に、建設現場において使用される資材検知システムに関する。
【背景技術】
【０００２】
従来の、資材検知システムが、たとえば、特開２００５−３２６９６５号公報（特許文献１)に開示されている。特許文献１によれば、ＩＣタグを、建設現場に存在する資材等に取付け、管理サーバが設けられ、ＩＣタグリーダが、建設現場の各空間内や各空間への出入口に設けてられている。管理サーバは、各ＩＣタグリーダからＩＣタグのＩＤとＩＣタグリーダが設置された空間の空間ＩＤとを受信して、タグＩＤおよび空間ＩＤと当該タグＩＤの読取り時刻とに基づいて、資材等の各空間への搬入等を管理している。
【特許文献１】特開２００５−３２６９６５号公報（要約）
【発明の開示】
【発明が解決しようとする課題】
【０００３】
従来の、資材検知システムは上記のように構成されていた。ＩＣタグを用いて、資材の作業場所等への搬入等を管理していた。しかしながら、従来の資材管理システムにおいては、資材のある範囲内における移動は管理されていたが、建設現場等において、資材が盗難されるという場合についての配慮がされていなかった。
【０００４】
この発明は上記のような問題点を解消するためになされたもので、建設現場等において、資材が盗難されるのを防ぐことができる資材管理システムを提供することを目的とする。
【課題を解決するための手段】
【０００５】
この発明に係る、資材検知システムは、所定の出入口を監視する監視カメラと、出入口に設けられ、資材に取付けられたＩＣタグを読取るタグリーダと、タグリーダが読取ったＩＣタグから資材を特定する特定手段と、特定手段が特定した資材が、持ち出し可能に設定されているか否かを判断する判断手段と、判断手段が、特定された資材が持ち出し不可能と設定されていると判断したときは、出入口の様子を撮影するように監視カメラを作動させる制御手段とを含む。
【０００６】
建設現場の出入口に設けられたＩＣタグを読取るタグリーダが、持ち出し可能に設定されていない資材を検出したときは、監視カメラを作動させて、出入口の様子を撮影する。
【０００７】
その結果、建設現場等において、資材が盗難されるのを防ぐことができる資材管理システムを提供できる。
【０００８】
好ましくは、タグリーダは、タグリーダ用ポールに設けられ、タグリーダ用ポールは組み立て式である。
【０００９】
警報装置をさらに含み、判断手段が、特定された資材が持ち出し不可能と設定されていると判断したときは、制御手段は、監視カメラを作動させるとともに、警報装置を作動させるようにしてもよい。
【発明を実施するための最良の形態】
【００１０】
以下に図面を参照して、この発明の一実施の形態について説明する。図１は、この発明の一実施の形態に係る資材検知システムが適用される建設現場の全体概要を示す図である。図１を参照して、建設現場の出入口には，通用門３１が設けられ、通用門３１の近傍には守衛室３２が設けられている。守衛室３２の中に、後に説明する資材管理システムが設けられている。資材の搬入搬出は、この通用門３１を介して行われる。通用門３１の前には、タグリーダが組み込まれたタグリーダ用ポール２３が設けられるとともに、タグリーダ用ポール２３の横には、通用門３１を介した出入を監視する監視カメラ２１が柱２１ａに支持されて設けられている。
【００１１】
また、この建設現場に搬入される資材のうち、比較的高価なものには、予め図示のないＩＣタグが取付けられており、そのＩＣタグと、ＩＣタグが取付けられた資材との関係、および、その資材の移動の可否等が予めデータベースに格納されているものとする。このＩＣタグについては、電池を内蔵したアクティブタグと、内蔵しないパッシブタグとがあり、いずれを採用しても良いが、検出の容易さから考えて、アクティブタグの方が好ましい。
【００１２】
次に、タグリーダ用ポール２３について説明する。図２（Ａ）は、タグリーダ用ポール２３を示す正面図であり、図２（Ｂ）は、図２（Ａ）において、Ｂ−Ｂで示す部分の矢視図である。図２（Ａ）および（Ｂ）を参照して、タグリーダ用ポール２３は、組立式であり、両端に設けられた脚部２３ｂ、２３ｃと、これらの脚部２３ｂ、２３ｃに支持された頂部２３ａとからなる門型を有している。頂部２３ａと、脚部２３ｂ，２３ｃとは、着脱自在に構成されている。脚部２３ｂ，２３ｃの寸法は、タグリーダ用ポール２３が構成されたときに、その下部をトラックが通過可能な寸法に選ばれている。
【００１３】
タグリーダ用ポール２３の頂部２３ａと、脚部２３ｂ，２３ｃとの中央部には、それぞれ、ＩＣタグを読取るためのタグリーダ２２ａ，２２ｂ，２２ｃが設けられている。タグリーダ２２は、検出電波としてＵＨＦを用いており、それによって、数ｍはなれたＩＣタグを検出可能である。したがって、トラック３３に積載された資材に取付けられたＩＣタグを検出可能である。なお、図２（Ａ）に示すように、タグリーダ用ポール２３の頂部２３ａに設けられたタグリーダ２２ａの直下の地中にタグリーダ２２ｄを設けてもよい。
【００１４】
このように、タグリーダ用ポール２３を構成するとともに、各部材の中央部にタグリーダ２２を設けるようにしたため、このタグリーダ用ポール２３内の任意の位置に存在するＩＣタグを検出可能になる。したがって、たとえば、トラックの荷台に乗せて資材が搬送されるときにおいても、荷台の上の資材にＩＣタグが設けられていれば、これを検出可能である。
【００１５】
なお、図２（Ｂ）に示すように、タグリーダ用ポール２３は、門型に交わる方向において、ワイヤ、または、その他の補助部材２４ａ，２４ｂによって支持するようにしてもよい。
【００１６】
また、監視カメラ２１は、このタグリーダ２２によって、資材が検出されたときに、トラック３３の車種、およびナンバープレートなどが撮影可能な位置に設けられている。
【００１７】
タグリーダ用ポール２３をこのように構成することにより、建設現場が移動してもタグリーダ用ポール２３を容易に再構築できる。また、タグリーダ用ポール２３をレンタル商品とすることもできる。
【００１８】
図３は、この実施の形態に係る資材検知システムの構成を示すブロック図である。図３を参照して、資材検知システム１０は、基本的にはパーソナルコンピュータである。コンピュータは、システム全体を制御するＣＰＵ１１と、監視カメラ２１からの映像を入力するカメラ映像入力部１２と、ＩＣタグを読取るタグリーダ２２からのデータを入力するタグリーダ入力部１３と、警報等を発する、警報装置として作動するスピーカ１４と、カメラ映像入力部１２で入力された映像を表示するための表示部１５とを含み、これらの各要素は全て、ＣＰＵ１１によって制御されている。
【００１９】
監視カメラ２１とカメラ映像入力部１２、および、ＩＣタグを読取るタグリーダとタグリーダ入力部１３とはＬＡＮで接続されていてもよいし、無線で接続されていてもよい。
【００２０】
次に、この発明における資材管理システムにおける動作について説明する。図４は、図３に示した資材管理システム１０の動作を説明するためのＣＰＵ１１が行う制御内容を示すフローチャートである。図４を参照して、ＣＰＵ１１は、まず、タグリーダ入力部１３からのデータによって、建設現場から外へ出ようとするトラックにＩＣタグが付された資材があるか否かを検知する（ステップＳ１１、以下、ステップを省略する）。ＩＣタグを検知すると、図示のないデータベースを参照して、ＩＣタグに対応する資材を検索し、その資材の持ち出しが許可されているか、否かを判断する（Ｓ１２）。したがって、ＣＰＵ１１は、特定手段、および、判断手段として機能する。
【００２１】
持ち出しが許可されていないときは（Ｓ１２でＮＯ）、監視カメラ２１を作動させて、許可されていない資材を持ち出そうとしているトラック３３のナンバープレート等を撮影するとともに、スピーカ１４から警報を発して、周囲の人に注意を喚起する（Ｓ１３、Ｓ１４）。したがって、ＣＰＵ１１は、制御手段として機能する。
【００２２】
なお、上記実施の形態においては、資材が無断でトラックによって持ち出されようとしたときに、監視カメラによるトラックの撮影と、警報の発令を行う場合についてのべたが、これに限らず、光による警告や、通用門の扉を自動的にロックすることによって、資材の盗難を防ぐようにしてもよい。
【００２３】
また、上記実施の形態においては、資材がトラックで持ち出され場合について説明したが、これに限らず、トラック以外のものや、人手によって持ち出される場合についても適用できるのは、いうまでもない。この場合は、監視カメラは、出入口、すなわち、通用門付近の映像を撮影する。
【００２４】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２５】
【図１】この発明の一実施の形態に係る資材検知システムが適用される建設現場の全体概要を示す図である。
【図２】この実施の形態に係る資材検知システムのタグリーダ用ポールを示す図である。
【図３】この実施の形態に係る資材検知システムの構成を示すブロック図である。
【図４】資材管理システムの動作を説明するためのフローチャートである。
【符号の説明】
【００２６】
１０  資材検知システム、１１  ＣＰＵ、１２  カメラ画像入力部、１３  タグリーダ入力部、１４  スピーカ、１５  表示部、２１  監視カメラ、２２  タグリーダ、２３  タグリーダ用ポール、３１  通用門。
【図１】
2008003686.tif 000003
【図２】
2008003686.tif 000004
【図３】
2008003686.tif 000005
【図４】
2008003686.tif 000006